(57)【要約】【課題】    濡れ傘を収容した時に雨水が袋の外側に染み出ないようにすると共に肩に掛けて持ち運ぶことができるようにした傘袋を提供すること。【解決手段】    防水加工又は撥水加工をした布地又はプラスチックフィルムからなるものであって、全体の形状が筒状となるように縫製されており、開口部から奥部に向って小径となる傘袋本体１の底部にプラスチック製の水受容器２を隙間なく収容する。傘袋本体１の開口部に長さ調整ができる肩掛け紐３を設け、傘袋本体１の開口部に肩掛け紐３と対応する位置に紐通し環５を設ける。傘袋本体１の開口部近傍の外面に締めバンド６を設ける。傘２０は傘袋１０の開口部から収容して石突き部を水受容器２に挿入する。【選択図】    図３
0003126431.tif 000002
【実用新案登録請求の範囲】
【請求項１】
防水加工又は撥水加工をした布地又はプラスチックシートからなり、全体の形状が筒状であって開口部から奥部に向って小径となる傘袋本体（１）の底部にプラスチック製の水受容器（２）を隙間なく収容し、該傘袋本体の開口部に長さ調整ができる肩掛け紐（３）を設け、当該傘袋本体の開口部に上記肩掛け紐と対応する位置に紐通し環（５）を設けると共に開口部近傍の外面に締めバンド（６）を設けたことを特徴とする傘袋。
【請求項２】
請求項１に記載の傘袋が、買物袋（４０）と共に折り畳んで携帯バッグ（３０）に収容できるものであって、該携帯袋は、内部に仕切りが設けられており、傘袋と買物袋を異なる区域に収容することを特徴とする請求項１に記載の傘袋。
【考案の詳細な説明】
【技術分野】
【０００１】
本考案は、繰り返して使用できる傘袋に関しており、濡れた傘の雨水を他人に付着させて迷惑をかけないようにすることは勿論のこと、資源の無駄使いを防止したエコロジカルな傘袋に関している。
【背景技術】
【０００２】
従来から、濡れた傘を収容して持ち運べる傘袋は知られており、肩に掛けて携行できるようにしたもの（特許文献１，同２）の他に、バッグの外側に取り付けられたもの（特許文献３）がある。
【特許文献１】特開平９−１５４６１２号公報
【特許文献２】特開平１０−１９２０２３号公報
【特許文献３】特開平１１−３２８３０号公報
【０００３】
特許文献１に記載された発明は、傘袋に関しており、傘袋本体２の開口部に当該傘袋本体２の生地を延設して形成した取手部４を設けると共に、開口部に長さ調整が可能な紐８を設けたものであり、さらに特徴的な構造は、傘袋本体２の先端部に形成した石突き部３が、塩化ビニール生地で形成した石突き部３の上面開放部と撥水加工された繊維で形成した上記傘袋本体２の下面開放部を縫着して形成したことである。そして、特許文献１の傘袋は、濡れた傘を傘袋本体に収容することで、雨水が外部に飛散しないようにしただけでなく、傘に付着した雨水を石突き部に溜めてから排水するものである。
【０００４】
特許文献１の傘袋は、石突き部に、一時的に雨水を溜めておき、溜った雨水をまとめて排水できるので、電車内をはじめ、人が多いところでも雨水を飛散させないという利点があるが、雨水を溜めておく石突き部は、傘袋本体と縫着したものであるから、縫着した縫目から雨水が染み出てくるおそれがあり、他人に迷惑をかけないものとは必ずしも言えなかった。この点、傘袋本体も縫製加工したものであるから、縫目から雨水が染み出ることは防げないかもしれないが、石突き部は、傘袋本体と異なり雨水が溜る処であるから、雨水が外部に染み出る現象を防ぐことが出来ないものである。
【０００５】
特許文献２に記載された発明は、傘袋に関しており、専ら折畳み傘を、携帯状態に折り畳んで収容するだけでなく、雨で濡れた傘を収容可能にしたものであるが、これらの機能を発揮させるため、傘袋には、複数個のファスナーやスナップボタンが取り付けられており、特に、石突き部分にもスナップボタンが取り付けられているので、濡れた傘を収容して使用した場合、雨水がスナップボタン取付け部分から染み出てくるおそれがあり、他人に迷惑をかけることが予想されるものであった。
【０００６】
特許文献３に記載された発明は、傘袋付きバッグに関しており、まち付きの手提げ又はショルダーの外側に、傘を収納できる傘袋を取り付けたものである。ただし、特許文献３の傘袋は、傘を収納するものであって、雨で濡れた傘を収納するためのものではない。
【０００７】
近年は、スーパーマーケットなどで買物をした際、所謂レジ袋称するプラスチック製袋に代わって客が持参する買物袋を使用することが多くなってきており、資源の無駄遣いが抑制される傾向になってきた。しかし一方で、スーパーマーケットに限らず、人が集まる施設の多くは、依然として雨が降るとプラスチックフィルム製の傘袋を来場者に提供している。プラスチックフィルム製の傘袋は、使い捨てにされるので資源の無駄遣いであることは言うまでもない。
【考案の開示】
【考案が解決しようとする課題】
【０００８】
本考案の課題は、濡れた傘を収容した時に雨水が袋の外側に染み出ないようにすると共に、肩に掛けて持ち運ぶことができるようにした傘袋を提供することである。
【０００９】
本考案の他の課題は、資源の無駄遣いを抑制するものであり、マイバッグとも言える買物袋と傘袋をセットにして携帯できるようにしたことで、従来は使い捨てであったものを繰り返して使用できるようにした傘袋を提供することである。
【課題を解決するための手段】
【００１０】
解決手段の第１は、防水加工又は撥水加工をした布地又はプラスチックシートからなり、全体の形状が筒状であって開口部から奥部に向って小径となる傘袋本体の底部にプラスチック製の水受容器を隙間なく収容し、上記傘袋本体の開口部に長さ調整ができる肩掛け紐を設け、当該傘袋本体の開口部に上記肩掛け紐と対応する位置に紐通し環を設けると共に開口部近傍の外面に締めバンドを設けたことを特徴とするものである。
【００１１】
解決手段の第２は、解決手段の第１において、傘袋が、買物袋と共に折り畳んで携帯バッグに収容できるものであって、該携帯袋は、内部に仕切りが設けられており、傘袋と買物袋を異なる区域に収容することを特徴とするものである。
【考案の効果】
【００１２】
請求項１は、肩に掛けて持ち運びができるものであって、傘袋に収容した傘に付着した雨水は、傘袋の底部に設けた水受容器に溜るので、溜った雨水は傘を取り出した際に捨てるようにすれば、使用者自身が濡れ傘によって濡れることが防げるだけでなく、周りの人に迷惑をかけないようにすることができる効果がある。また、水受容器がプラスチック製であって傘袋本体の底部に隙間なく収容したものであるから、傘袋本体の底部は逢着されているが、当該縫目部分から雨水が染み出るおそれがないという効果がある。
【００１３】
請求項２は、傘袋を買物袋と共に折り畳んで携帯バッグに収容したものであるから、所謂レジ袋と称するプラスチック製の使い捨て買物袋の使用を抑制し、同時に、プラスチックフィルム製の使い捨て傘袋の使用を抑制できる効果がある。また、携帯バッグが内部に仕切りを設けて傘袋と買物袋を異なる区域に収容するものであるから、濡れた傘袋を収容した場合でも他の携帯品を濡らすおそれがないという効果がある。
【考案を実施するための最良の形態】
【００１４】
図１は本願考案に係る傘袋を示す斜視図、図２は傘袋の下半分を縦断した断面図、図３は傘袋に傘を収容した状態を示す斜視図、図４及び図５は傘袋の使用状態を示す斜視図、図６は傘袋と買物袋をセットにして持ち運ぶ携帯バッグを示す斜視図である。
【００１５】
図１及び図２において、傘袋１０は、防水加工又は撥水加工をした布地又はプラスチックシートを縫製して傘袋本体１を形成したものである。
【００１６】
傘袋本体１は、全体の形状が筒状であって、開口部から奥部に向って小径に形成されると共に底部は閉塞されている。図面では、縫製した縫糸が省略されているが、細長三角形状に形成した２枚の本体布地を袋状に縫製加工したものである。２は傘袋本体１の底部に収容したプラスチック製の水受容器であり、傘袋本体１の底部断面形状に合致させた形状とし、当該傘袋本体１の底部に隙間なく収容する。なお、水受容器２は、接着剤などを使用せずに傘袋本体１の底部に収容するだけでよい。
【００１７】
傘袋本体１の開口部には、肩掛け紐３が設けられており、長さ調整具４を備えているので、持ち運ぶ態様に合わせて紐の長さが調整できるようになっている。また、傘袋本体１の開口部には、肩掛け紐３と対応する位置に、該肩掛け紐３を通すための紐通し環５が設けられている。この他、６は傘袋本体１の開口部近傍の外面に設けた締めバンドであり、傘袋に傘を収容した時に袋の開口部を閉じておくものであって、傘袋に逢着した部分及び先端部分に面ファスナー７を設けている。
【００１８】
傘袋１０は、上記した構成であり、後に詳しく説明するが、使用しない時は小さく折畳んでおく（図６参照）。
【００１９】
図３から図５において、濡れた傘を傘袋１０に収容する場合は、傘袋本体１の開口部から傘２０を差し込み、傘の石突き部分が水受容器２に達するまで挿入する。次いで、傘袋本体１の開口部を閉じるため、締めバンド６を傘袋の周囲を環回して面ファスナー７を互いに係止する。
【００２０】
本考案の傘袋は、肩に掛けて持ち運ぶことで両手が自由に使えるようになっている。すなわち、図４に示すように、進行方向に向って右肩に掛けて傘袋１０を身体の右側に所持し、また、図５に示すように、左肩に掛けて傘袋１０を身体の右側に所持することができるようになっている。ここで、肩掛け紐３は、長さ調整具４により使用者の身長に合わせて持ち運びやすい長さに調整する。また、傘袋本体１の開口部は締めバンド６によって閉じられているから、開口部が開くことはないが、肩掛け紐３を紐通し環５を通すことで、傘袋１０の開口部が不要に開くことを防止できる。
【００２１】
雨で濡れた傘２０は、傘袋１０に収容されているので、持ち運ぶ時に周りの人に迷惑をかけないことは勿論であるが、持ち運ぶ時に使用者自身も濡れることはない。傘袋１０に収容した傘２０に付着した雨水は、傘袋１０の底部に設けた水受容器２に溜るので、溜った雨水は、傘袋１０から傘２０を取り出した際に捨てる。
【００２２】
傘袋本体１は、本体布地を縫製加工したものであるが、縫目が縦方向なので、濡れ傘から落ちる雨水は傘袋の外側に染み出ることなく、底部に達し水受容器２に収容される。したがって、傘袋本体１は底部が縫糸で閉塞されているものであるが、底部から雨水が染み出るおそれがなく、雨の日の濡れ傘を快適に持ち運ぶことができるものであ。
【００２３】
本考案の傘袋は、繰り返して使用することができるので、従来の使い捨てタイプとは異なり省資源型である他、買物袋とセットにして携帯することで、省資源効果をさらに向上させるものとなる。
【００２４】
図６において、３０は携帯バッグを示しており、傘袋１０と買物袋４０を、いずれも折り畳んで収容できるようにしたものである。
【００２５】
携帯バッグ３０は、仕切り３１が設けられており、傘袋１０と買物袋４０を独立した区域に収納できるようにしたものである。傘袋１０を使用すると、袋の表面にも雨水が付着するので、いったん使用された傘袋１０を携帯バッグ３０に収納する時は、他の携帯品とは別個の区域に収納して雨水で濡らさないようにできる。バック開口部と仕切り３１との間にフックボタン３２を設け、仕切り３１の反対側面に面ファスナー３３を設けて、それぞれの収納室を開閉自在としている。
【００２６】
また、携帯バッグ３０には、開口部に手提げベルト３４が設けられており、該手提げベルト３４の一端とバックとの間にベルト着脱具３５を設けている。傘袋１０が使用されてなく濡れていない場合は、傘袋１０及び買物袋４０は、いずれも折り畳んで携帯バッグ３０の所定の区域に収納する。しかし、傘袋１０を使用したことで濡れている場合は、当該傘袋１０を携帯バック３０に収納し、このままの状態で携帯バッグ３０を、例えば、鞄に収容すると鞄の内部が濡れてしまうことになる。そこで、ベルト着脱具３５を開放状態にして手提げベルト３４を鞄の取手に通し、再びベルト着脱具３５を閉塞すれば、当該携帯バッグ３０が鞄の外側に下げて携帯できるので、鞄の内部を雨水で濡らさないようにすることができる。
【００２７】
本考案の傘袋は、濡れた傘を収容して肩に掛けて携行できるので、使用者自身が濡れないことは勿論であるが、周囲の人にも迷惑をかけないものとなっている。また、買物袋と共に携帯バッグに収納して持ち運ぶことができ、繰り返して使用できるようにしたものであるから、従来の傘袋及び買物袋が使い捨てにされてきたものと比べ、資源の無駄遣いを抑制し得るものである。
【図面の簡単な説明】
【００２８】
【図１】本願考案に係る傘袋を示す斜視図。
【図２】傘袋の下半分を縦断した断面図。
【図３】傘袋に傘を収容した状態を示す斜視図。
【図４】傘袋の使用状態を示す斜視図。
【図５】傘袋の他の使用状態を示す斜視図。
【図６】傘袋と買物袋をセットにして持ち運ぶ携帯バッグを示す斜視図。
【符号の説明】
【００２９】
１  傘袋本体
２  水受容器
３  肩掛け紐
４  長さ調整具
５  紐通し環
６  締めバンド
７  面ファスナー
１０  傘袋
２０  傘
３０  携帯バッグ
３１  仕切り
３２  フックボタン
３３  面ファスナー
３４  手提げベルト
３５  ベルト着脱具
４０  買物袋
【図１】
0003126431.tif 000003
【図２】
0003126431.tif 000004
【図３】
0003126431.tif 000005
【図４】
0003126431.tif 000006
【図５】
0003126431.tif 000007
【図６】
0003126431.tif 000008